(57)【要約】【課題】高精度な位置合わせをしなくても、ワンタッチで支基カバーを支基ベースに簡単かつ円滑に係合させることができ、しかも支基カバーががたついたり外れたりすることがないようにした椅子における支基カバーの取付構造を提供する。【解決手段】支基ベース１７に、上端部に係合孔２８ｂ、４２を設けた複数の起立片２８ａ、４１を立設し、かつ支基カバー１８の下面に、下端部に起立片２８ａ、４１の係合孔２８ｂ、４２に係合しうる爪４６ａ、４８ａを有する弾性撓曲可能な複数の係止片４６、４８を下向き突設するとともに、支基カバー１８の下降時に支基ベース１７上に設けられた部材と摺接して、係止片４６、４８のいずれかを支基ベース１７に対して位置決めする複数の案内突片４７を、それらの間に係止片４６が位置するようにして、下向き突設する。【選択図】        図２
2005224378.tif 000002
【特許請求の範囲】
【請求項１】
椅子における脚柱の上端に設けられ、座および背もたれを支持する支基における上面が開口する箱状の支基べース上に、その上端開口部を覆う支基カバーを取り付ける取付構造であって、前記支基ベースに、上端部に係合孔を設けた複数の起立片を立設し、かつ前記支基カバーの下面に、下端部に前記起立片の係合孔に係合しうる爪を有する弾性撓曲可能な複数の係止片を下向き突設するとともに、支基カバーの下降時に支基ベース上に設けられた部材と摺接して、前記係止片のいずれかを支基ベースに対して位置決めする複数の案内突片を、それらの間に前記係止片が位置するようにして、下向き突設したことを特徴とする椅子における支基カバーの取付構造。
【請求項２】
支基カバーの周縁部に設けた拡幅段部を、支基ベースの上端縁部に外嵌した請求項１記載の椅子における支基カバーの取付構造。
【請求項３】
複数の係止片のうちのいずれかの爪の向きを、他の係止片の爪の向きに対してほぼ直交する方向を向くようにした請求項１または２記載の椅子における支基カバーの取付構造。
【請求項４】
支基カバーの後部中央に、爪が左右方向を向く係止片を設け、かつ支基カバーの前部に、爪が前後方向を向く複数の係止片を設けた請求項１〜３のいずれかに記載の椅子における支基カバーの取付構造。
【請求項５】
支基カバーの後部に、前後方向を向く左右１対の案内突片を、それらの間に後部の係止片が位置するようにして設けた請求項４記載の椅子における支基カバーの取付構造。
【請求項６】
案内突片を、上方に向かって拡開する倒立台形状とし、この案内突片が、支基ベース上に設けられた１対の起立片間に楔入するようにした請求項５記載の椅子における支基カバーの取付構造。
【請求項７】
１対の起立片のいずれか一方に係合孔を設けた請求項６記載の椅子における支基カバーの取付構造。
【請求項８】
起立片を、支基ベースを左右方向に貫通する軸が嵌合された軸受を支基ベースに固定する押え金具と一体的に形成した請求項１〜７のいずれかに記載の椅子における支基カバーの取付構造。
【発明の詳細な説明】
【技術分野】
【０００１】
本発明は、椅子における脚柱の上端に設けられ、座および背もたれを支持する支基における上面が開口する箱状の支基べース上に、その上端開口部を覆う支基カバーを取り付ける取付構造に関する。
【背景技術】
【０００２】
従来の椅子の支基カバーは、ねじまたはボルトにより支基べースに固定されている(例えば特許文献1参照)。
【特許文献１】特開２００３−１３５１９２号公報(図２および段落００１５)
【発明の開示】
【発明が解決しようとする課題】
【０００３】
しかし、製造工程においてこのようなねじ止め作業を行う場合、それに先だって支基カバーを支基べースに正確に位置決めしなければならず、作業が繁雑となり、作業時間が長くなるとともに、ねじまたはボルトの頭部が外部に露呈し、体裁が悪くなる等の問題がある。
【０００４】
また、このようなねじ止め作業に代えて、支基カバーに設けた複数の係合爪を、支基べースに設けた係合孔または段部等に係止させて、支基カバーを支基べースに取り付けることが考えられるが、このように単に係合爪を係合孔に係止させるだけでは、外部からの衝撃や振動等により、支基べースががたついたり、外れたりするおそれがある。
【０００５】
本発明は、従来の技術が有する上記のような問題点に鑑み、高精度な位置合わせをしなくても、ワンタッチで支基カバーを支基ベースに簡単かつ円滑に係合させることができ、しかも支基カバーががたついたり外れたりすることがないようにした椅子における支基カバーの取付構造を提供することを目的としている。
【課題を解決するための手段】
【０００６】
本発明によると、上記課題は、次のようにして解決される。
(１)椅子における脚柱の上端に設けられ、座および背もたれを支持する支基における上面が開口する箱状の支基べース上に、その上端開口部を覆う支基カバーを取り付ける取付構造であって、前記支基ベースに、上端部に係合孔を設けた複数の起立片を立設し、かつ前記支基カバーの下面に、下端部に前記起立片の係合孔に係合しうる爪を有する弾性撓曲可能な複数の係止片を下向き突設するとともに、支基カバーの下降時に支基ベース上に設けられた部材と摺接して、前記係止片のいずれかを支基ベースに対して位置決めする複数の案内突片を、それらの間に前記係止片が位置するようにして、下向き突設する。
【０００７】
(２)上記(１)項において、支基カバーの周縁部に設けた拡幅段部を、支基ベースの上端縁部に外嵌する。
【０００８】
(３)上記(１)または(２)項において、複数の係止片のうちのいずれかの爪の向きを、他の係止片の爪の向きに対してほぼ直交する方向を向くようにする。
【０００９】
(４)上記(１)〜(３)項のいずれかにおいて、支基カバーの後部中央に、爪が左右方向を向く係止片を設け、かつ支基カバーの前部に、爪が前後方向を向く複数の係止片を設ける。
【００１０】
(５)上記(４)項において、支基カバーの後部に、前後方向を向く左右１対の案内突片を、それらの間に後部の係止片が位置するようにして設ける。
【００１１】
(６)上記(５)項において、案内突片を、上方に向かって拡開する倒立台形状とし、この案内突片が、支基ベース上に設けられた１対の起立片間に楔入するようにする。
【００１２】
(７)上記(６)項において、１対の起立片のいずれか一方に係合孔を設ける。
【００１３】
(８)上記(１)〜(７)項のいずれかにおいて、起立片を、支基ベースを左右方向に貫通する軸が嵌合された軸受を支基ベースに固定する押え金具と一体的に形成する。
【発明の効果】
【００１４】
各請求項に記載された発明は、次のような効果を奏することができる。
(１)請求項１：いずれかの係止片が、複数の案内突片の間に位置して、それらの案内突片により支基ベースに対して位置決めされるので、高精度な位置合わせをしなくても、ワンタッチで支基カバーを支基ベースに簡単かつ円滑に係合させることができ、しかも支基カバーががたついたり外れたりすることがない。
【００１５】
(２)請求項２：支基カバーの周縁部に設けた拡幅段部を、支基ベースの上端縁部に外嵌したので、支基ベースに対して支基カバー全体が大まかに位置決めされ、係止片や案内突片を支基ベースに容易に装着することができる。
【００１６】
(３)請求項３：複数の係止片のうちのいずれかの爪が互いに直交する方向を向くので、水平面内のあらゆる方向へのがたつきや外れを確実に防止することができる。
【００１７】
(４)請求項４：係止片をこのような配置とすることにより、前後方向に長い支基カバーを、効率よく位置決めおよび係止することができる。
【００１８】
(５)請求項５：請求項４の係止片の配置に絡めて、案内突片の配置をこのように定めることにより、前後方向に長い支基カバーを、より効率位置決めおよび係止することができる。
【００１９】
(６)請求項６：支基カバーの装着時に、案内突片が１対の起立片間に楔入することにより、起立片およびそれに伴って支基カバー全体が、円滑に位置決めされ、支基カバーを容易に装着できるようにすることに寄与することができる。
【００２０】
(７)請求項７：１対の起立片のいずれか一方に係合孔を設け、これに係止片の爪を係合させるようにしたことにより、案内突片を位置決めするための起立片と、係止片を係止するための起立片とを１個の起立片ですますことができ、部品点数を削減することができる。
【００２１】
(８)請求項８：細かな部品である起立片を、押え金具と一体的に形成したことにより、部品点数を削減、および製造コストの低減を図ることができるだけでなく、細かな部品の紛失を防止することができる。
【発明を実施するための最良の形態】
【００２２】
以下、本発明の一実施形態を、図１〜図５を参照して説明する。
図１は、本発明の一実施形態を備える椅子の側面図である。
この椅子の概略構成について簡単に説明すると、この椅子は、放射状の５本の脚(１)の中心に立設された脚柱(２)を備え、この脚柱(２)の上端に、前後方向に長い支基(３)が回転自在に取付けられている。
【００２３】
支基(３)には、背もたれ(４)を支持する左右１対の背杆(５)(５)における背もたれ(４)の下端より前方に延出する部分の前端部が、左右方向を向く軸(６)をもって枢着されており、背杆(５)(５)の中間部同士を連結する連結材(図示略)と支基(３)の後端部とには、背もたれ(４)を前方に起立するように付勢する付勢手段をなす公知のガススプリング(８)の各端部が、左右方向を向く軸(8a)(8b)をもって連結されている。
【００２４】
座(９)を支持する座フレーム(10)における前部の左右方向を向く支持軸(11)は、支基(３)の前部に設けられた後下方に向かって傾斜する長孔(12)に、その長手方向に摺動可能として嵌合されており、また座フレーム(10)における後部の左右方向を向く支持軸(13)は、１対の背杆(５)(５)の中間部に、連結金具(14)をもって連結されている。
【００２５】
図２に示すように、支基(３)内には、前部の支持軸(11)の中間部に前端が当接して、座(９)を前方に向かって付勢するばね(この例では前後方向を向く圧縮コイルばね)(15)と、このばね(15)の付勢力を調節する調節手段(16)とが設けられている。
【００２６】
かくして、ガススプリング(８)およびばね(15)の付勢力に抗して、背もたれ(４)を後方に押動することにより、背もたれ(４)を、軸(６)を中心として後傾させることができるとともに、背もたれ(４)の後傾に連動して、座(９)が後下方に向かって移動させられるようになっている。
【００２７】
本発明は、このようなリクライニング椅子において、以下に詳細に説明するような支基(３)の具体的な構造、特に支基カバーの取付構造に特徴を有している。
支基(３)は、下側の金属板製の支基ベース(17)と、この支基ベース(17)の蓋をなす合成樹脂製の支基カバー(18)とを備えている。
【００２８】
図２以下に示すように、支基ベース(17)は、上面が開口する前後方向に長い浅い箱状をなし、その後部中央には、脚柱(２)の上部が貫通する貫通孔が(17a)設けられている。
支基ベース(17)の後端上部には、ほぼ水平をなす上面板(19)が、その両側縁を支基ベース(17)における上向きの側片(17b)の内面に溶接することにより固着されている。
【００２９】
図４〜図６に示すように、上面板(19)の後部中央には嵌合孔(20)が設けられ、この嵌合孔(20)には、上下方向を向く筒体(21)が下方より嵌合され、筒体(21)の下端に設けられた拡径フランジ(21a)が上面板(19)の下面に溶接により固着されている。また、筒体(21)の上部は、上面板(19)の上面に溶接により固着された下端が開口する蓋状の補強材(22)の上壁に穿設された嵌合孔(23)に下方より嵌合され、かつその外周部は、嵌合孔(23)の縁に溶接され、補強されている。
筒体(21)には、脚柱(２)内に設けられた、支基(３)の高さ調節用のガススプリング(図示略)の上端部が下方より嵌合され、それによって支基(３)は、脚柱(２)、より詳しくはガススプリングにより、高さ調節可能として支持されている。
【００３０】
上面板(19)の後端には、支基ベース(17)における上向きの後片(17c)の上縁中央に設けられた方形の切り欠き(25)を通って後方に突出する突部(19a)が形成され、この突部(19a)の両側端から支基ベース(17)の後片(17c)の後面に沿って垂下する両側片(19b)(19b)の下端部には、上述したガススプリング(８)(図１および図２参照)の前下端部を枢着する軸(8b)が嵌合される軸受孔(26)が設けられている。
【００３１】
上面板(19)の前部には、起立壁(19c)とその上端より前上方を向く前片(19d)とが設けられ、その上面板(19)の前部上面には、図２および図３に示すように、側面視ほぼ下向きコ字状をなす押え金具(27)が、ねじ(図示略)をもって固着されている。
【００３２】
押え金具(27)の上面には、前後１対の起立片(28a)(28a)を有する側面視上向きコ字状のブラケット(28)が、溶接により固着されている。後部の起立片(28a)のほぼ中央部には、前後方向に貫通する横長の係合孔(28b)が設けられている。
【００３３】
図２〜図５に示すように、押え金具(27)と上面板(19)との間に形成された側面視ほぼ正方形の空所(29)には、上下２分割構造とした左右１対の軸受(30)(30)が設けられ、この軸受(30)(30)によって、背杆(５)(５)を枢支する軸(６)が支持されている。
また、支基ベース(17)の両側片(17b)における空所(29)に連続する部分には、Ｕ字状の切り欠き(31)が上端より切設され、これを通って軸受(30)が外側方に突出しうるようになっている。
【００３４】
上面板(19)における前片(19d)の前端中央には、方形の切り欠き(図示略)が設けられ、ここに、平面視前向きコ字状をなすばね受け板(33)が嵌合され、かつ溶接されている。このばね受け板(33)の前方には、上述した調節手段(16)とばね(15)とが収容され、ばね受け板(33)は、調節手段(16)を介してばね(15)の後端の荷重を受けている。
なお、調節手段(16)の具体的な構成は、本発明には直接関係しないので、その詳細な説明は省略する。この調節手段(16)を省略して、ばね(15)の後端を直接ばね受け板(33)により受支するようにすることもできる。
【００３５】
支基ベース(17)における両側片(17b)(17b)の前部には、後部における切り欠き(31)と同様のＵ字状の切り欠き(34)が設けられており、その内側には、上下２分割構造とした左右１対の軸受(35)(35)を上下から挟んで支基ベース(17)内に固定する押え金具(36)と受け金具(37)とが設けられ、それらはねじ(38)をもって支基ベース(17)に固着されている。
この軸受(35)(35)内に、上述した後下方を向く長孔(12)が形成され、この長孔(12)に、座フレーム(10)における前部の支持軸(11)が、その長手方向に沿って摺動可能として嵌合されている。
【００３６】
押え金具(36)は、左右方向に長い水平片(36a)と、その前後の縁より垂下する側片(36b)(36b)と、各側片(36b)の下端より前方および後方に突出する取付片(36c)(36c)とを備え、後方の取付片(36c)から後方の側片(36b)および水平片(36a)の前端までにかけての中央部に、平面視方形の切り欠き(39)が形成されている。この切り欠き(39)内には、ばね(15)の前部と、前部の支持軸(11)の中央部に当接するばね受け(40)とが収容されている。
押え金具(36)の水平片(36a)における切り欠き(39)の左右の縁には、１対の起立片(41)が切り起こして形成されており、各起立片(41)の上端部には、左右方向に貫通する横長の係合孔(42)がそれぞれ設けられている。
【００３７】
支基ベース(17)の上端開口部を覆う支基カバー(18)は、支基ベース(17)の上面形状よりわずかに大きく、かつ下面が開口する浅い箱状をなし、その周縁部には、支基ベース(17)の上端縁部に外嵌する拡幅段部(43)が設けられるとともに、支基ベース(17)の両側部より突出する前後の軸受(35)(35)(30)(30)に上方より嵌合する切り欠き(44)(44)(45)(45)が設けられている。
【００３８】
支基カバー(18)の後部下面中央には、ブラケット(28)における後部の起立片(28a)に設けられた係合孔(28b)に後方より係合しうる左右方向を向く爪(46a)を有する弾性撓曲可能な係止片(46)が下向き突設されている。また、支基カバー(18)の後部下面両側部には、上方に向かって拡開する倒立台形状の左右１対の案内突片(47)(47)が、それらの間に係止片(46)が位置するようにして下向き突設されている。この両案内突片(47)(47)は、支基カバー(18)の下降時に、ブラケット(28)における前後の起立片(28a)(28a)間に摺接しつつ楔入し、係止片(46)を支基ベース(17)に対して位置決めする作用をする。
【００３９】
支基カバー(18)の前部下面中央には、押え金具(36)における左右の起立片(41)(41)に設けられた係合孔(42)に外側からそれぞれ係合する、前後方向を向く爪(48a)(48a)を有する弾性撓曲可能な左右１対の係止片(48)(48)が下向き突設されている。
また、支基カバー(18)の前部下面両側部には、支基カバー(18)を支基ベース(17)に装着したとき、下端が押え金具(36)における水平片(36a)の上面に当接するようにした突片(49)(49)が下向き突設されている。
【００４０】
さらに、支基カバー(18)の前端部下面中央には、支基カバー(18)を支基ベース(17)に装着したとき、下端および後端が押え金具(36)における前部の取付片(36)の上面とその後端から立ち上がる前部の側片(36)の前面とに当接するようにしたリブ状の突片(50)が下向き突設されている。
【００４１】
かくして、支基カバー(18)の拡幅段部(43)を支基ベース(17)の上端開口部に外嵌すると、支基カバー(18)側の左右１対の案内突片(47)(47)がブラケット(28)における前後の起立片(28a)(28a)間に、最初は緩く、最後はきつく楔入し、後部の係止片(46)が前後方向に位置決めされつつ、その爪(46a)が後部の起立片(28a)の係合孔(28b)に確実に係合するとともに、前部の左右１対の係止片(48)(48)の爪(48a)(48a)が、前部の押え金具(36)における左右の起立片(41)(41)に設けられた係合孔(42)に外側からそれぞれ係合し、さらに、左右１対の突片(49)(49)の下端が押え金具(36)における水平片(36a)の上面に当接するとともに、突片(50)の下端および後端が前部の押え金具(36)における前部の取付片(36)の上面と前部の側片(36)の前面とにそれぞれ当接して、支基カバー(18)は支基ベース(17)に、ワンタッチで確実に装着され、装着後には、支基カバー(18)のがたつきや外れは確実に防止される。
【００４２】
特に、後部の係止片(46)の爪(46a)と、前部の係止片(48)(48)の爪(48a)(48a)とが互いに直交する方向を向いているので、支基カバー(18)の水平面内のあらゆる方向へのがたつきや外れが確実に防止される。
【００４３】
本発明は、支基(３)における支基カバー(18)の取付構造を上述のような構成としたことを特徴とするものであり、特許請求の範囲の各請求項に記載した各構成により、発明の効果として上述したような効果を奏することができる。
【図面の簡単な説明】
【００４４】
【図１】本発明の一実施形態を備える椅子の側面図である。
【図２】同じく、支基カバーを取り外したときの支基を後上方より見た斜視図である。
【図３】同じく、支基カバーを装着したときの支基を後上方より見た斜視図である。
【図４】同じく、支基の側面図である。
【図５】同じく、支基の中央縦断側面図である。
【図６】図３のVI−VI線に沿う縦断側面図である。
【符号の説明】
【００４５】
(１)脚
(２)脚柱
(３)支基
(４)背もたれ
(５)背杆
(６)軸
(８)ガススプリング(付勢手段)
(8a)(8b)軸
(９)座
(10)座フレーム
(11)支持軸
(12)長孔
(13)支持軸
(14)連結金具
(15)ばね
(16)調節手段
(17)支基ベース
(17a)貫通孔
(17b)側片
(17c)後片
(18)支基カバー
(19)上面板
(19a)突部
(19b)側片
(19c)起立壁
(19d)前片
(20)嵌合孔
(21)筒体
(21a)拡径フランジ
(22)補強材
(23)嵌合孔
(25)切り欠き
(26)軸受孔
(27)押え金具
(28)ブラケット
(28a)起立片
(28b)係合孔
(29)空所
(30)軸受
(31)切り欠き
(33)ばね受け板
(34)切り欠き
(35)軸受
(36)押え金具
(36a)水平片
(36b)側片
(36c)取付片
(37)受け金具
(38)ねじ
(39)切り欠き
(40)ばね受け
(41)起立片
(42)係合孔
(43)拡幅段部
(44)(45)切り欠き
(46)係止片
(46a)爪
(47)案内突片
(48)係止片
(48a)爪
(49)(50)突片
【図１】
2005224378.tif 000003
【図２】
2005224378.tif 000004
【図３】
2005224378.tif 000005
【図４】
2005224378.tif 000006
【図５】
2005224378.tif 000007
【図６】
2005224378.tif 000008